(57)【特許請求の範囲】
【請求項１】
複数の移動体電話のそれぞれにつき、当該移動体電話の位置を示す位置情報、及び、当該移動体電話の契約者を示す契約者情報を、当該移動体電話を識別する端末ＩＤ（識別情報）に対応付けて保持する位置情報センタと、
通報元である移動体電話が通報とともに送信する当該移動体電話の端末ＩＤを受信し、当該端末ＩＤが示す通報元の位置を示す位置情報及び当該通報元の契約者を示す契約者情報の照会の指示を発する複数の指令設備と、
前記指令設備が発した照会の指示に従って、前記通報元の位置を示す位置情報及び当該通報元の契約者を示す契約者情報を前記指令設備に送信する中継センタと、
より構成される情報照会システムであって、
所定のポイントを示すポイント情報、及び、当該ポイントが属する管轄区域を割り当てられている指令設備を示す所轄情報を、互いに対応付けて記憶する管轄データベースを更に備え、
前記位置情報センタは、前記通報元が通報とともに送信した端末ＩＤに対応付けられた位置情報及び契約者情報を前記中継センタに送信し、
前記中継センタは、前記位置情報センタが送信した位置情報及び契約者情報を、前記指令設備が発した照会の指示に従って、当該位置情報が示す位置に基づいて決まる一定の領域の内にあるポイントを示すポイント情報に対応付けられた当該所轄情報が示す当該指令設備に送信し、前記領域の内にある複数のポイントが属する複数の管轄区域について、各該管轄区域が前記領域内に占める面積の大小に基づいて優先順位を決定する、
ことを特徴とする情報照会システム。
【請求項２】
端末ＩＤ、位置情報及び契約者情報の送受信は、予め認証されたキーを用いて暗号化された状態で行われる、
ことを特徴とする請求項１に記載の情報照会システム。
【発明の詳細な説明】
【０００１】
【発明の属する技術分野】
この発明は、情報照会システムに関し、特にデータの検索を効率的にするための情報照会システムに関する。
【０００２】
【従来の技術】
移動体電話（携帯電話等）からの１１９番通報などを受信して、１１９番通報を発信した移動体電話の所在地などの情報を特定するシステムは、従来、予め特定された移動体電話を対象とし、受信された１１９番通報や電話番号が一つの代表受付に集中されていた。そして、代表受付において、１１９番通報を発信した移動体電話の所在地の管轄が判別され、判別された所轄に割り当てられた受付へと、通話の内容をなす音声信号が転送されていた。
【０００３】
【発明が解決しようとする課題】
しかし、上述の従来の技術による構成では、１１９番通報の受付及び所轄の判別が一カ所で行われ、しかも煩雑となる。この結果、上述の技術では、１１９番通報の転送までの時間が長くなっていた。また、通報の内容を転送する過程で音声信号が漏洩する危険もあった。
【０００４】
この発明は、上記実状に鑑みてなされたもので、情報の特定が迅速かつ効率的に行われ、情報の転送が安全に行われる情報照会システムを提供することを目的とする。
【０００５】
【課題を解決するための手段】
上記目的を達成するため、この発明に係る情報照会システムは、
複数の移動体電話のそれぞれにつき、当該移動体電話の位置を示す位置情報、及び、当該移動体電話の契約者を示す契約者情報を、当該移動体電話を識別する端末ＩＤ（識別情報）に対応付けて保持する位置情報センタと、
通報元である移動体電話が通報とともに送信する当該移動体電話の端末ＩＤを受信し、当該端末ＩＤが示す通報元の位置を示す位置情報及び当該通報元の契約者を示す契約者情報の照会の指示を発する複数の指令設備と、
前記指令設備が発した照会の指示に従って、前記通報元の位置を示す位置情報及び当該通報元の契約者を示す契約者情報を前記指令設備に送信する中継センタと、
より構成される情報照会システムであって、
所定のポイントを示すポイント情報、及び、当該ポイントが属する管轄区域を割り当てられている指令設備を示す所轄情報を、互いに対応付けて記憶する管轄データベースを更に備え、
前記位置情報センタは、前記通報元が通報とともに送信した端末ＩＤに対応付けられた位置情報及び契約者情報を前記中継センタに送信し、
前記中継センタは、前記位置情報センタが送信した位置情報及び契約者情報を、前記指令設備が発した照会の指示に従って、当該位置情報が示す位置に基づいて決まる一定の領域の内にあるポイントを示すポイント情報に対応付けられた当該所轄情報が示す当該指令設備に送信し、前記領域の内にある複数のポイントが属する複数の管轄区域について、各該管轄区域が前記領域内に占める面積の大小に基づいて優先順位を決定する、
ことを特徴とする。
【０００９】
端末ＩＤ、位置情報及び契約者情報の送受信は、予め認証されたキーを用いて暗号化された状態で行われるようにしてもよい。
【００１２】
【発明の実施の形態】
以下、この発明の実施の形態に係る情報照会システムを、電話の発信地を特定する発信地情報提供システムを例とし、図面を参照して説明する。
【００１３】
（第１の実施の形態）
図１は、この発明の第１の実施の形態にかかる発信地情報提供システムの構成を示す図である。
図示するように、この発信地情報提供システムは、エリア代表指令設備１Ａと、指令設備１Ｂ及び１Ｃと、中継センタ２と、位置情報センタ３Ａ〜３Ｃと、移動電話交換機４と、管轄データベース５とより構成されている。
【００１４】
エリア代表指令設備１Ａと、指令設備１Ａ及び１Ｃと、中継センタ２とは、フレームリレー網等から構成される通信回線を介して互いに接続されている。また、中継センタ２と、位置情報センタ３Ａ〜３Ｃとは互いに通信回線を介して接続されている。
【００１５】
エリア代表指令設備１Ａは、ＣＰＵ（Central Processing Unit）や、ＲＡＭ（Random Access Memory）及びハードディスク装置を含む記憶装置や、ＣＲＴ（Cathode Ray Tube）等の表示装置を備え、また、押ボタンスイッチやキーボード等の入力装置を備え、またＤＳＵ（Digital Service Unit）やターミナルアダプタ等の通信制御装置を備える。
【００１６】
エリア代表指令設備１Ａは、自己が備える通信制御装置及びＩＳＤＮ回線等の通信回線を介して、移動電話交換機４に接続されている。また、エリア代表指令設備１Ａは、自己の通信制御装置と、フレームリレー等から構成される通信回線とを介して、指令設備１Ｂ及び１Ｃに接続されている。
【００１７】
また、指令設備１Ｂ及び１Ｃは、エリア代表指令設備１Ａと実質的に同一の構成を有しており、各自が備える通信制御装置と、フレームリレー網などから構成される通信回線とを介して、エリア代表指令設備１Ａに接続されている。
【００１８】
エリア代表指令設備１Ａは、移動電話交換機４より、後述の１１９番通報及び移動体電話（たとえば、携帯電話）のＩＤ（識別情報：IDentifier）を受信し、後述する動作を行う。指令設備１Ｂ及び１Ｃは、エリア代表指令設備１Ａより移動体電話のＩＤの転送を受け、後述する動作を行う。
【００１９】
なお、エリア代表指令設備１Ａは、移動電話交換機４のセルゾーン（すなわち、移動体電話を用いて移動電話交換機４を介しての通話が可能である地域）内の所定の一部の区域に対応付けられている。また、指令設備１Ｂ及び１Ｃも、それぞれ、移動電話交換機４のセルゾーン内の所定の一部の区域に対応付けられている。
【００２０】
中継センタ２は、ＣＰＵや、ＲＡＭ及びハードディスク装置等を含む記憶装置を備えている。
中継センタ２は、後述する処理に従い、エリア代表指令設備１Ａから供給されたＩＤを位置情報センタ３Ａ〜３Ｃに供給し、また、位置情報センタ３Ａ〜３Ｃが供給する後述の位置情報及び氏名情報を、エリア代表指令設備１Ａ、指令設備１Ｂ及び１Ｃに供給する。
【００２１】
管轄データベース５は、ハードディスク装置等を含む記憶装置を備えており、中継センタ２に接続されている。管轄データベース５は、移動電話交換機４のセルゾーン内に格子状に配列された仮想の地点（ポイント）の緯度及び経度を示す情報と、そのポイントが、エリア代表指令設備１Ａ、指令設備１Ｂ及び１Ｃのうちいずれに対応付けられた区域に属するかを示すマッピング管轄情報とを、互いに対応付けて記憶する。そして、後述する処理に従って、マッピング管轄情報を読み出し、エリア代表指令設備１Ａ、指令設備１Ｂ及び１Ｃに供給する。
【００２２】
位置情報センタ３Ａ〜３Ｃは、たとえば、互いに実質的に同一の構成を有しており、それぞれ、ＣＰＵや、ＲＡＭ及びハードディスク装置等を含む記憶装置を備えている。
【００２３】
位置情報センタ３Ａ〜３Ｃの各記憶装置は、それぞれ、移動電話交換機４のセルゾーン内にある移動体電話のＩＤと、その移動体電話の所在地の緯度及び経度とその移動体電話の利用契約者の氏名等とを示す位置情報とを、互いに対応付けて記憶している。
なお、位置情報センタ３Ａ〜３Ｃの各々がＩＤ及び位置情報を記憶する対象の移動体電話は、移動体電話毎に予め特定されている。
【００２４】
移動電話交換機４は、送信機、受信機、ＤＳＵ及びターミナルアダプタ等の通信制御装置を備え、また、ＣＰＵや、ＲＡＭ及びハードディスク装置等を含む記憶装置を備えており、自己が備える通信制御装置を介して、エリア代表指令設備１Ａに接続されている。また、移動電話交換機４は、通信回線を介して外部の他の移動電話交換機にも接続される。
【００２５】
移動電話交換機４は、自己のセルゾーン内にある移動体電話相互や、自己のセルゾーン内にある移動体電話と外部の他の電話機等との間の通話を中継する。そして、移動電話交換機４は、自己のセルゾーン内にある移動体電話が１１９番通報を発信すると、その１１９番通報と、その１１９番通報を発信した移動体電話のＩＤとを、エリア代表指令設備１Ａに供給する。
【００２６】
（第１の実施の形態：動作）
次に、図１の発信地情報提供システムが、１１９番通報を発信した移動体電話の位置を特定する動作を、図２及び図３を参照して説明する。
図２は、相互認証の処理を示す図である。
図３は、位置特定の処理を示す図である。
【００２７】
（相互認証の処理）
この発信地情報提供システムが動作を開始すると、まず、中継センタ２は、位置情報センタ３Ａ〜３Ｃに、自己を認証するための認証キーを送信することを要求する（図２、ステップＳ００１）。
【００２８】
位置情報センタ３Ａ〜３Ｃは、ステップＳ００１で中継センタ２が送信した要求に応答して乱数を生成し、生成した乱数を認証キーとすることを決定し、記憶する（ステップＳ００２）。そして、生成したこの認証キーを、中継センタ２に供給する（ステップＳ００３）。中継センタ２は、位置情報センタ３Ａ〜３Ｃより供給された認証キーを記憶する。すなわち、認証キーとして登録する（ステップＳ００４）。
【００２９】
次に、中継センタ２は、認証を開始するため、自己が記憶する各認証キーを、各々の認証キーを生成した位置情報センタに供給する（ステップＳ００５）。位置情報センタ３Ａ〜３Ｃは、各自に供給された認証キーを取得して、その認証キーが、自己が生成して記憶する認証キーに合致することを確認して（ステップＳ００６）、認証が成功した旨を、中継センタ２に通知する（ステップＳ００７）。
【００３０】
次に、中継センタ２は、位置情報センタ３Ａ〜３Ｃに、後述の位置特定の処理で暗号化及び復号化のために用いる特殊キーＫＡを送信することを要求する（ステップＳ００８）。
【００３１】
位置情報センタ３Ａ〜３Ｃは、ステップＳ００８で中継センタ２が送信した要求に応答して特殊キーＫＡを生成し、記憶する（ステップＳ００９）。そして、生成した特殊キーＫＡを中継センタ２に供給する（ステップＳ０１０）。中継センタ２は、位置情報センタ３Ａ〜３Ｃより供給された特殊キーＫＡを登録する（ステップＳ０１１）。
【００３２】
一方、エリア代表指令設備１Ａは、中継センタ２に、位置特定の処理で暗号化及び復号化のために用いる特殊キーＫＢを送信することを要求する（ステップＳ０１２）。
【００３３】
中継センタ２は、ステップＳ０１２でエリア代表指令設備１Ａが送信した要求に応答して特殊キーＫＢを生成し、記憶する（ステップＳ０１３）。そして、生成した特殊キーＫＢをエリア代表指令設備１Ａに供給する（ステップＳ０１４）。エリア代表指令設備１Ａは、中継センタ２より供給された特殊キーＫＢを登録する（ステップＳ０１５）。
【００３４】
（位置特定の処理）
セルゾーン内にある移動体電話が１１９番通報を発信すると、このセルゾーン内に設置された移動電話交換機４は１１９番通報を受信して、１１９番通報を発信した移動体電話を特定する。そして、移動電話交換機４は、受信した１１９番通報と、自己が特定した移動体電話のＩＤとを、通信回線を介して、この発信地情報提供システムのエリア代表指令設備１Ａに供給する。
すると、この発信地情報提供システムは、図３に示す位置特定の処理を行う。
【００３５】
移動電話交換機４から供給された１１９番通報及びＩＤを受信したエリア代表指令設備１Ａは、受信したＩＤを、自己が記憶する特殊キーＫＢを用いて暗号化し、暗号化されたＩＤを、中継センタ２に供給する。そして、暗号化済みのＩＤが示す移動体電話の現在位置の照会を、中継センタ２に指示する（図３、ステップＳ１０１）。
【００３６】
中継センタ２は、移動体電話の現在位置の照会を指示されると、暗号化済みのＩＤを、自己が記憶する特殊キーＫＢを用いて復号する。そして、復号により得られたＩＤに基づいて、そのＩＤを割り当てられた移動体電話の現在位置を把握している位置情報センタを特定する（ステップＳ１０２）。
【００３７】
以下、理解を容易にするため、ステップＳ１０２で中継センタ２が特定した位置情報センタは、位置情報センタ３Ａであるとする。
この場合、中継センタ２は、ステップＳ１０２での復号により得られたＩＤを、位置情報センタ３Ａが生成した特殊キーＫＡを用いて暗号化する（ステップＳ１０３）。そして、この特殊キーＫＡにより暗号化されたＩＤを、ステップＳ１０２で特定した位置情報センタ（すなわち位置情報センタ３Ａ）に供給し、供給した暗号化済みＩＤが示す移動体電話の現在位置を示す位置情報の送信、及び、利用契約者の氏名等とを示す氏名情報の送信を、特定した情報センタに要求する（ステップＳ１０４）。
【００３８】
位置情報センタ３Ａは、中継センタ２より位置情報及び氏名情報の送信を指示されると、暗号化済みのＩＤを、自己が記憶する特殊キーＫＡを用いて復号する（ステップＳ１０５）。そして、復号により得られたＩＤをキーとして、自己が備えるデータベースを検索し、キーとしたＩＤに対応付けられている位置情報及び氏名情報を索出する（ステップＳ１０６）。
【００３９】
位置情報及び氏名情報を索出すると、位置情報センタ３Ａは、索出した位置情報及び氏名情報を、自己が記憶する特殊キーＫＡを用いて暗号化し、中継センタ２に送信する（ステップＳ１０７）。
中継センタ２は、位置情報センタ３Ａが送信した、暗号化済みの位置情報及び氏名情報を受信し、受信した暗号化済みの位置情報及び氏名情報を、位置情報センタ３Ａが生成した特殊キーＫＡを用いて復号する（ステップＳ１０８）。
【００４０】
次に、中継センタ２は、復号により得られた位置情報及び氏名情報を、自己が記憶する特殊キーＫＢを用いて暗号化する（ステップＳ１０９）。次いで、中継センタ２は、復号により得られた位置情報をキーとして、管轄データベース５に格納されているマッピング管轄情報を検索する（ステップＳ１１０）。
【００４１】
具体的には、ステップＳ１１０において、中継センタ２は、位置情報が示す位置からの距離が所定の範囲内にある領域を特定する。そして、特定した領域内にある各ポイントが属する区域を示すマッピング管轄情報を、管轄データベース５より索出する。次いで、索出したマッピング管轄情報が示す区域について、特定した上述の領域内での面積の大きさの順位を特定する。
【００４２】
中継センタ２は、順位を決定するため、具体的には、索出したマッピング管轄情報が示す各区域に属するポイントのうち、上述の領域内にあるものの数を区域別に数える。そして、数えた結果が大きい区域ほど、上述の領域内での面積が大きいものとして、面積の大きさの順位を特定する。
こうすることにより、例えば位置情報が誤差を含むものである場合も、１１９番通報を発した移動体電話の実際の位置が属する区域である可能性が高い順に区域の順位が割り当てられ、最上位の区域は、移動体電話の実際の位置が属する区域である可能性がもっとも高い区域と特定される。従って、この移動体電話と通話すべき指令設備の決定が効率的になる。
【００４３】
そして、中継センタ２は、ステップＳ１１０で索出したマッピング管轄情報のうちに、エリア代表指令設備１Ａに対応付けられている区域を示すものがあるか否かを判別する（ステップＳ１１１）。
【００４４】
そして、あると判別すると、中継センタ２は、特殊キーＫＢにより暗号化された位置情報及び氏名情報と、各マッピング管轄情報が示す区域の順位（つまり、ステップＳ１１０で特定した順位）を示す情報（区域の順位情報）と、１１９番通報を発信した移動体電話が、エリア代表指令設備１Ａに対応付けられた区域にあることを示す情報（管轄内情報）とを、エリア代表指令設備１Ａに供給する（ステップＳ１１２）。
【００４５】
エリア代表指令設備１Ａは、中継センタ２が自己に供給した管轄内情報、区域の順位情報、暗号化済みの位置情報及び氏名情報を受信し、受信した暗号化済みの位置情報及び氏名情報を、自己が記憶する特殊キーＫＢを用いて復号する（ステップＳ１１３）。そして、自己が備える表示装置の表示画面上に、ステップＳ１１３で復号した位置情報が示す現在位置や利用契約者の氏名等を表す画像や文字を表示し、また、１１９番通報を発信した移動体電話が、エリア代表指令設備１Ａに対応付けられた区域にあることを示す文字や画像や、区域の順位情報が示す順位等を表示する（ステップＳ１１４）。
【００４６】
ステップＳ１１４の処理により、エリア代表指令設備１Ａの操作者等に、エリア代表指令設備１Ａに対応付けられた区域内にある移動体電話から１１９番通報が発信されたことが通知され、また、その移動体電話の現在位置や利用契約者の氏名等も通知される。
【００４７】
一方、ステップＳ１１１で、マッピング管轄情報のうちに、エリア代表指令設備１Ａに対応付けられている区域を示すものがないと判別すると、中継センタ２は、１１９番通報を発信した移動体電話が、エリア代表指令設備１Ａに対応付けられた区域の外にあることを示す情報（管轄外情報）と、ステップＳ１１０で索出したマッピング管轄情報が示す各区域（候補の区域）を表す情報と、特殊キーＫＢにより暗号化された位置情報及び氏名情報と、上述した区域の順位情報とを、エリア代表指令設備１Ａに供給する（ステップＳ１１５）。
【００４８】
エリア代表指令設備１Ａは、中継センタ２が自己に供給した管轄外情報、区域の順位情報、暗号化済みの位置情報及び氏名情報を受信し、受信した暗号化済みの位置情報及び氏名情報を、自己が記憶する特殊キーＫＢを用いて復号する（ステップＳ１１６）。そして、自己の表示装置の表示画面上に、ステップＳ１１０で索出したマッピング管轄情報が示す各区域（候補の区域）を表す画像や文字を表示し、また、１１９番通報を発信した移動体電話が、エリア代表指令設備１Ａに対応付けられた区域の外にあることを示す文字や画像や、区域の順位情報が示す順位等を表示する（ステップＳ１１７）。
【００４９】
そして、エリア代表指令設備１Ａは、操作者が、自己の入力装置を操作して、候補の区域のうち１つを特定するのを待機する（ステップＳ１１８）。操作者が、候補の区域のうちの１つを特定すると、エリア代表指令設備１Ａは、特定された区域に対応付けられた指令設備（たとえば、指令設備１Ｂ）に、移動電話交換機４から供給されたＩＤを転送する（ステップＳ１１９）。
【００５０】
ステップＳ１１９でＩＤを転送された指令設備は、自己とエリア代表指令設備１Ａとを結ぶ通信回線、エリア代表指令設備１Ａ及び移動電話交換機４を順次介して、１１９番通報を発信した移動体電話に接続し、この移動体電話と通話する。
その後、この発信地情報提供システムは、上述のステップＳ１０１〜Ｓ１１７の処理と実質的に同一の処理を行う（ステップＳ１２０）。ただし、ステップＳ１２０においては、ステップＳ１１９でＩＤを転送された指令設備が、エリア代表指令設備１Ａの機能を行う。また、ステップＳ１１１にあたる処理において、中継センタ２は、ステップＳ１１０で索出したマッピング管轄情報のうちに、ステップＳ１１９でＩＤを転送された指令設備に対応付けられている区域を示すものがあるか否かを判別するものとする。
また、管轄内情報は、１１９番通報を発信した移動体電話が、ＩＤを転送された指令設備に対応付けられた区域にあることを示すものであり、管轄外情報は、１１９番通報を発信した移動体電話が、ＩＤを転送された指令設備に対応付けられた区域の外にあることを示すものとする。
【００５１】
なお、この発信地情報提供システムの構成は、上述のものに限定されることなく、種々の変形及び応用が可能である。
たとえば、指令設備の数は、２個である必要はなく、３個以上でもよい。また、位置情報センタの数も任意である。また、移動体電話が１１９番通報を発信した後最初にその１１９番通報を受信する指令設備が、エリア代表指令設備１Ａ以外に存在してもよく、従って、例えば、指令設備１Ｂや１Ｃが１１９番通報を受信してもよい。
また、指令設備１Ｂ及び１Ｃは、各自の通信制御装置及びＩＳＤＮ回線等の通信回線とを介して、移動電話交換機４に接続されていてもよい。この場合、ステップＳ１１９でＩＤを転送された指令設備は、自己と移動電話交換機４とを結ぶ通信回線及び移動電話交換機４を順次介して、１１９番通報を発信した移動体電話に接続することにより、そのＩＤに対応付けられた移動体電話と通話する。従ってこの場合、エリア代表指令設備１Ａ、指令設備１Ｂ及び１Ｃが互いに接続されている必要はない。
【００５２】
また、１１９番通報を発信する端末は移動体電話である必要はなく、互いに有線回線を介して接続された電話機であってもよい。また、エリア代表指令設備１Ａと、指令設備１Ｂ及び１Ｃと、中継センタ２と、位置情報センタ３Ａ〜３Ｃとを互いに接続する通信回線も任意である。
【００５３】
また、この発信地情報提供システムは、中継センタを複数備えてもよい。この場合、たとえば各中継センタが、各指令設備のいずれかに対応付けられ、ステップＳ１１５の処理を実行する中継センタが、エリア代表指令設備１Ａに管轄外情報を供給する代わりに、候補の区域に対応付けられた指令設備に対応付けられた中継センタに、１１９番通報を発信した移動体電話のＩＤを転送してもよい。
そして、このＩＤの転送を受けた中継センタは、このＩＤを指令設備から供給されたものとして扱い、ステップＳ１２０の処理を実行すればよい。
【００５４】
また、ステップＳ１１０で、マッピング管轄情報を検索するために中継センタ２が特定する領域が満たすべき条件は、上述のものに限られない。
例えば、ステップＳ１１０で中継センタ２は、位置情報が示す位置からの距離が所定の範囲内にあり、且つ、位置情報が示す位置からみた方位が所定の範囲内にある領域を特定するようにしてもよい。
また、中継センタ２は、位置情報が示す位置から電波を放射した場合に電界強度が所定の範囲内にある領域を任意の手法により特定するようにしてもよい。
また、中継センタ２は、位置情報が示す位置から電波を放射した場合に電界強度が所定の範囲内にあり、且つ、位置情報が示す位置からみた方位が所定の範囲内にある領域を特定するようにしてもよい。
【００５５】
（第２の実施の形態）
図４は、この発明の第２の実施の形態にかかる発信地情報提供システムの構成を示す図である。
図示するように、この発信地情報提供システムは、指令設備１ａ〜１ｃと、中継センタ２と、キャリア網３ａ〜３ｃと、移動電話交換機４ａ〜４ｃと、管轄データベース５とより構成されている。
【００５６】
指令設備１ａ〜１ｃは、いずれも、図１の構成におけるエリア代表指令設備１Ａや指令設備１Ｂ及び１Ｃと実質的に同一の構成を有しており、後述する動作を行う。
【００５７】
指令設備１ａは、自己が備える通信制御装置及びＩＳＤＮ回線等の通信回線を介して、移動電話交換機４ａに接続されている。同様に、指令設備１ｂは、自己の通信制御装置及び通信回線を介して移動電話交換機４ｂに接続されており、指令設備１ｃは、自己の通信制御装置及び通信回線を介して移動電話交換機４ｃに接続されている。また、指令設備１ａ〜１ｃは、各自の通信制御装置と、フレームリレー等から構成される通信回線とを介して互いに接続されている。
なお、図４の構成において、指令設備１ａ〜１ｃは、各自に接続されている移動電話交換機のセルゾーンに対応付けられている。
【００５８】
中継センタ２は、図１の構成における中継センタ２と実質的に同一の構成を有している。中継センタ２は、キャリア網３ａ〜３ｃより上述した位置情報及び氏名情報の供給を受け、後述する処理に従い、移動電話交換機４ａ〜４ｃに、音声情報、位置情報、氏名情報及び後述する管轄情報を供給する。
【００５９】
管轄データベース５は、図１の構成における管轄データベース５と実質的に同一の構成を有しており、また、上述のマッピング管轄情報を、図１の構成における管轄データベース５と実質的に同一の態様で記憶している。そして、後述する処理に従って、マッピング管轄情報を読み出し、中継センタ２に供給する。
【００６０】
キャリア網３ａは、フレームリレー網等から構成される通信回線３１ａと、通信回線３１ａに接続された位置情報センタ３２ａとを備えている。
キャリア網３ｂは、通信回線３１ａと実質的に同一の構成を有する通信回線３１ｂと、通信回線３１ｂに接続された位置情報センタ３２ｂを備えている。キャリア網３ｃは、通信回線３１ａと実質的に同一の構成を有する通信回線３１ｃと、通信回線３１ｃに接続された位置情報センタ３２ｃとを備えている。
【００６１】
通信回線３１ａ〜３１ｃは、中継センタ２に接続されている。通信回線３１ａ〜３１ｃは、いずれも、１１９番通報を受信すると、この１１９番通報を送信した移動体電話のＩＤを識別する。
【００６２】
位置情報センタ３２ａ〜３２ｃは、たとえば、互いに実質的に同一の構成を有しており、それぞれ、ＣＰＵや、ＲＡＭ及びハードディスク装置等を含む記憶装置を備えている。
位置情報センタ３２ａの記憶装置は、移動電話交換機４ａ〜４ｃの３つのセルゾーン内にある移動体電話のＩＤと、この移動体電話の所在地の緯度及び経度を示す位置情報と、この移動体電話の利用契約者の氏名等とを示す氏名情報とを、互いに対応付けて記憶している。位置情報センタ３２ｂ及び３２ｃの各記憶装置も、移動電話交換機４ａ〜４ｃの３つのセルゾーン内にある移動体電話のＩＤと、これらの移動体電話についての位置情報および氏名情報とを、互いに対応付けて記憶している。
なお、位置情報センタ３２ａ〜３２ｃの各々がＩＤ、位置情報及び氏名情報を記憶する対象の移動体電話は、移動体電話毎に予め特定されている。
【００６３】
移動電話交換機４ａ〜４ｃは、各自に接続された指令設備と中継センタ２との間の通話を中継するものである。
移動電話交換機４ａ〜４ｃは、互いに実質的に同一の構成を有しており、それぞれ、送信機、受信機、ＤＳＵ及びターミナルアダプタ等の通信制御装置を備えている。移動電話交換機４ａは、自己が備える通信制御装置を介して指令設備１ａに接続されており、移動電話交換機４ｂは、自己の通信制御装置を介して指令設備１ｂに接続されており、移動電話交換機４ｃは、自己の通信制御装置を介して指令設備１ｃに接続されている。
【００６４】
（第２の実施の形態：動作）
次に、図４の発信地情報提供システムが、１１９番通報を発信した移動体電話の位置を特定して指令設備に通報を伝達する動作を、図５を参照して説明する。図５は、位置特定の処理を示す図である。
【００６５】
（相互認証の処理）
この発信地情報提供システムが動作を開始すると、まず、位置情報センタ３２ａ〜３２ｃ、中継センタ２及び指令設備１ａ〜１ｃは、上述の第１の実施の形態における相互認証の処理（図２に示す処理）と実質的に同一の処理を行う。
【００６６】
ただし、相互認証の処理において、位置情報センタ３２ａ、３２ｂ及び３２ｃは、図１の構成における位置情報センタ３Ａ、３Ｂ及び３Ｃの動作に相当する動作を行い、図４の構成の指令設備１ａは、図１の構成のエリア代表指令設備１Ａの動作に相当する動作を行う。
また、位置情報センタ３２ａ及び中継センタ２は、通信回線３１ａを介して認証キーや特殊キーＫＡの送受信を行い、同様に、位置情報センタ３２ｂ及び３２ｃと中継センタ２とは、通信回線３１ｂ及び３１ｃを介して認証キーや特殊キーＫＡの送受信を行う。
また、指令設備１ａ及び中継センタ２は、移動電話交換機４ａを介して特殊キーＫＢの送受信を行い、同様に、指令設備１ｂ及び１ｃと中継センタ２とは、移動電話交換機４ｂ及び４ｃを介して特殊キーＫＢの送受信を行う。
【００６７】
（位置特定の処理）
移動電話交換機４ａ〜４ｃのいずれかのセルゾーン内にある移動体電話が１１９番通報を発信すると、キャリア網３ａ〜３ｃの通信回線３１ａ〜３１ｃのいずれかが１１９番通報を受信して、１１９番通報を発信した移動体電話のＩＤを特定する。そして、ＩＤを特定した通信回線は、自己が特定したＩＤを、自己に接続された位置情報センタに供給し、その位置情報センタに位置情報及び氏名情報の出力を指示する（図５、ステップＳ３０１）。なお、以下では、理解を容易にするため、１１９番通報を受信した通信回線は、通信回線３１ａであるものとする。
【００６８】
位置情報センタ３２ａは、１１９番通報を受信した通信回線３１ａより位置情報及び氏名情報の送信を指示されると、通信回線３１ａより供給されたＩＤをキーとして、自己が備えるデータベースを検索し、キーとしたＩＤに対応付けられている位置情報及び氏名情報を索出する（ステップＳ３０２）。
【００６９】
位置情報及び氏名情報を索出すると、位置情報センタ３２ａは、索出した位置情報及び氏名情報を、自己が記憶する特殊キーＫＡを用いて暗号化する。そして、暗号化した位置情報及び氏名情報を通信回線３１ａを介して中継センタ２に送信し、中継センタ２に、管轄情報の出力を指示する（ステップＳ３０３）。
【００７０】
中継センタ２は、位置情報センタ３２ａが送信した、暗号化済みの位置情報及び氏名情報を受信し、受信した暗号化済みの位置情報及び氏名情報を、位置情報センタ３２ａが生成した特殊キーＫＡを用いて復号する（ステップＳ３０４）。そして復号した位置情報及び氏名情報を、自己が記憶する特殊キーＫＢを用いて暗号化する（ステップＳ３０５）。
【００７１】
次に、中継センタ２は、ステップＳ３０４での復号で得られた位置情報をキーとして、管轄データベース５に格納されているマッピング管轄情報を検索する（ステップＳ３０６）。ステップＳ３０６で中継センタ２は、具体的には、位置情報が示す位置からの距離が所定の範囲内にある領域を特定する。そして、特定した領域内にある各ポイントが属するセルゾーンを示すマッピング管轄情報をすべて索出する。
【００７２】
次に、中継センタ２は、ステップＳ３０６で索出したマッピング管轄情報が示すセルゾーンについて、ステップＳ３０６で特定した領域内での面積の大きさの順位を特定する（ステップＳ３０７）。
【００７３】
具体的には、中継センタ２は、ステップＳ３０６で索出したマッピング管轄情報が示す各セルゾーンに属するポイントのうち、ステップＳ３０６で特定した領域内にあるものの数をセルゾーン別に数える。そして、数えた結果が大きいセルゾーンほど、ステップＳ３０６で特定した領域内での面積が大きいものとして、面積の大きさの順位を特定する。
こうすることにより、例えば位置情報が誤差を含むものである場合も、１１９番通報を発した移動体電話の実際の位置が属するセルゾーンである可能性が高い順にセルゾーンの順位が割り当てられ、最上位のセルゾーンは、移動体電話の実際の位置が属するセルゾーンである可能性がもっとも高いセルゾーンと特定される。従って、この移動体電話と通話すべき指令設備の決定が効率的になる。
【００７４】
次に、中継センタ２は、
（１）  ステップＳ３０６で索出した各マッピング管轄情報と、
（２）  （１）の各マッピング管轄情報が示すセルゾーンの順位（つまり、ステップＳ３０７で特定した順位）を示す情報（順位情報）と、
（３）  ステップＳ３０５で特殊キーＫＢにより暗号化された位置情報及び氏名情報と、
を、移動電話交換機４ａ〜４ｃのうち、セルゾーンの順位が最上位である移動電話交換機へと供給する（ステップＳ３０８）。
【００７５】
以下では、理解を容易にするため、ステップＳ３０６で索出したマッピング管轄情報は、移動電話交換機４ａ及び４ｂのセルゾーンを示しているものとする。そして、移動電話交換機４ａのセルゾーンが１位、移動電話交換機４ｂのセルゾーンが２位であるとする。従って、ステップＳ３０８で中継センタ２は、上述の（１）〜（３）の情報を移動電話交換機４ａに供給するものとする。
【００７６】
指令設備１ａは、中継センタ２が移動電話交換機４ａに供給した（１）〜（３）の情報を、移動電話交換機４ａを介して受信する。そして、受信した（３）の情報（つまり、暗号化済みの位置情報及び氏名情報）を、自己が記憶する特殊キーＫＢを用いて復号する（ステップＳ３０９）。
【００７７】
そして、自己が備える表示装置の表示画面上に、ステップＳ３０９で復号した位置情報が示す現在位置や、ステップＳ３０９で復号した氏名情報が示す利用契約者の氏名等を表す画像や文字を表示する（ステップＳ３１０）。また、ステップＳ３１０で指令設備１ａは、１１９番通報を発信した移動体電話が、（２）の情報が示す順位が１位である、移動電話交換機４ａのセルゾーンにあることを示す文字や画像等を表示する。また、ステップＳ３１０で指令設備１ａは、（２）の情報が示す順位が２位である、移動電話交換機４ｂのセルゾーンを示す情報（例えば、当該セルゾーンの名称）を、管轄の他の候補を示すとして表示する。
【００７８】
ステップＳ３１０の処理により、指令設備１ａの操作者等に、移動電話交換機４ａのセルゾーン内にある移動体電話から１１９番通報が発信されたことが通知され、また、その移動体電話の現在位置や利用契約者の氏名が通知される。また、（２）の情報が示す順位が２位以下であるセルゾーン（候補のセルゾーン）も通知される。
【００７９】
そして、指令設備１ａは、操作者が、自己の入力装置を操作して、（１）の情報が示すセルゾーンのうち１つを特定するのを待機する（ステップＳ３１１）。操作者が、これらのセルゾーンのうちの１つを特定すると、指令設備１ａは、特定されたセルゾーンが、自己に接続された移動電話交換機のセルゾーンであるか（つまり、移動電話交換機４ａのセルゾーンであるか）否かを判別する（ステップＳ３１２）。
【００８０】
ステップＳ３１２で、移動電話交換機４ａのセルゾーンが特定されたと判別すると、指令設備１ａは、移動電話交換機４ａ、中継センタ２及びキャリア網３ａの通信回線３１ａを順次介して、１１９番通報を発信した移動体電話に接続し、この移動体電話と通話する（ステップＳ３１３）。
【００８１】
ステップＳ３１２で、移動電話交換機４ａのセルゾーン以外のセルゾーンが特定されたと判別すると、指令設備１ａは、特定されたセルゾーンに対応付けられた指令設備に、移動電話交換機４ａから供給された（１）〜（３）の各情報を転送する（ステップＳ３１４）。
【００８２】
理解を容易にするため、ステップＳ３１４でＩＤを転送された指令設備が指令設備１ｂであるとすると、指令設備１ｂは、移動電話交換機４ｂ、中継センタ２及びキャリア網３ｂの通信回線３１ｂを順次介して、１１９番通報を発信した移動体電話に接続し、この移動体電話と通話する。
【００８３】
なお、この発信地情報提供システムの構成も上述のものに限定されることなく、種々の変形及び応用が可能である。
例えば、ステップＳ３０６で、マッピング管轄情報を検索するために中継センタ２が特定する領域が満たすべき条件は任意であり、例えば上述のステップＳ１１０で図１の中継センタ２が処理を行う場合と同様に、位置情報が示す位置からの距離が所定の範囲内にあり、且つ、位置情報が示す位置からみた方位が所定の範囲内にある領域を特定するようにしてもよい。また、位置情報が示す位置から電波を放射した場合に電界強度が所定の範囲内にある領域を任意の手法により特定するようにしてもよい。また、位置情報が示す位置から電波を放射した場合に電界強度が所定の範囲内にあり、且つ、位置情報が示す位置からみた方位が所定の範囲内にある領域を特定するようにしてもよい。
【００８４】
また、ステップＳ３０７で、セルゾーンの順位を特定する手法も上述のものに限られない。従って、例えば、中継センタ２又は管轄データベース５が、各セルゾーンの地図を表す地図情報を予め記憶し、中継センタ２が、各セルゾーンのうちステップＳ３０６で特定した領域内に属する部分の面積をこの地図情報に基づいて判定するようにしてもよい。この場合、中継センタ２は、判定の結果である面積が大きいセルゾーンほど、ステップＳ３０６で特定した領域内での面積が大きいものとして、面積の大きさの順位を特定すればよい。
【００８５】
（第３の実施の形態）
図６は、この発明の第３の実施の形態にかかる発信地情報提供システムの構成を示す図である。
図示するように、この発信地情報提供システムの構成は、通信回線３１ａが移動電話交換機４ａに接続され、通信回線３１ｂが移動電話交換機４ｂに接続され、通信回線３１ｃが移動電話交換機４ｃに接続されている点を除き、図４の構成と実質的に同一である。
【００８６】
図６の構成における中継センタ２は、位置情報センタ３２ａ〜３２ｃより上述の位置情報及び氏名情報の供給を受け、後述する処理に従い、位置情報センタ３２ａ〜３２ｃに管轄情報を供給する。また、移動電話交換機４ａ〜４ｃは、各自に接続された指令設備と各自に接続されたキャリア網（通信回線）との間の通話を中継する。
【００８７】
（第３の実施の形態：動作）
次に、図６の発信地情報提供システムが、１１９番通報を発信した移動体電話の位置を特定して指令設備に通報を伝達する動作を、図７を参照して説明する。図７は、位置特定の処理を示す図である。
【００８８】
（相互認証の処理）
図６の発信地情報提供システムが動作を開始すると、まず、位置情報センタ３２ａ〜３２ｃ及び中継センタ２は、図２に示す相互認証の処理のステップＳ００１〜Ｓ０１１の処理と実質的に同一の処理を行う。ただし、相互認証の処理において、位置情報センタ３２ａ、３２ｂ及び３２ｃは、図１の構成における位置情報センタ３Ａ、３Ｂ及び３Ｃの動作に相当する動作を行うものとする。
【００８９】
（位置特定の処理）
移動電話交換機４ａ〜４ｃのいずれかのセルゾーン内にある移動体電話が１１９番通報を発信すると、キャリア網３ａ〜３ｃの通信回線３１ａ〜３１ｃのいずれかが１１９番通報を受信すると、受信した通信回線は、上述のステップＳ３０１の処理と実質的に同一の処理を行う（図７、ステップＳ５０１）。ただし、当該通信回線は、必ずしも中継センタ２に氏名情報を供給する必要はない。以下では、理解を容易にするため、１１９番通報を受信した通信回線は、通信回線３１ａであるものとする。
【００９０】
位置情報センタ３２ａは、ステップＳ５０１で通信回線３１ａより位置情報の送信を指示されると、上述のステップＳ３０２及びＳ３０３の処理と実質的に同一の処理を行う（ステップＳ５０２）ただし、当該通信回線は、必ずしも中継センタ２に氏名情報を供給する必要はない。次いで、中継センタ２は、ステップＳ３０４〜３０７の処理と実質的に同一の処理を行う（ステップＳ５０３）。ただし、ステップＳ３０５にあたる処理は行わない。
【００９１】
次に、中継センタ２は、上述の（１）及び（２）の情報と実質的に同一の情報（つまり、管轄データベース５より索出した各マッピング管轄情報と、セルゾーンの順位を示す情報）を、ステップＳ５０２の処理を行った位置情報センタ、つまり位置情報センタ３２ａへと供給する（ステップＳ５０４）。
【００９２】
位置情報センタ３２ａは、中継センタ２が供給した（１）及び（２）の情報と、ステップＳ５０２で索出した位置情報及び氏名情報を通信回線３１ａに供給し、通信回線３１ａは、位置情報センタ３２ａが供給したこれら４個の情報を、移動電話交換機４ａへと送信する（ステップＳ５０５）。
【００９３】
指令設備１ａは、ステップＳ５０５で通信回線３１ａが送信した情報を、移動電話交換機４ａを介して受信する。そして、指令設備１ａ（及び指令設備１ｂ）は、ステップＳ３１０〜Ｓ３１３の処理と実質的に同一の処理を行う（ステップＳ５０６）。ただし、指令設備１ａ及び１ｂは、ステップＳ５０５で通信回線３１ａが送信した情報に含まれる位置情報及び氏名情報を、ステップＳ３０９で復号された位置情報及び氏名情報と同一に扱うものとする。また、ステップＳ３１３にあたる処理で、指令設備１ａは、移動電話交換機４ａ及び通信回線３１ａを順次介して、１１９番通報を発信した移動体電話に接続し、この移動体電話と通話するものとする。
【００９４】
そして、ステップＳ５０６の処理のうち、ステップＳ３１２にあたる処理で、移動電話交換機４ａのセルゾーン以外のセルゾーンが特定されたと判別すると、指令設備１ａは、特定されたセルゾーンに対応付けられた指令設備に、ステップＳ５０５で供給された４個の情報を転送する。転送を受けた指令設備は、自己に接続された移動電話交換機、この移動電話機に接続された通信回線を順次介して、１１９番通報を発信した移動体電話に接続し、この移動体電話と通話する。
【００９５】
（第４の実施の形態）
図８は、この発明の第４の実施の形態にかかる発信地情報提供システムの構成を示す図である。
図示するように、この発信地情報提供システムの構成は、中継センタ２を備えていない点と、管轄データベース５に代えて、管轄データベース５ａ〜５ｃを備えている点を除き、図６の構成と実質的に同一である。
【００９６】
管轄データベース５ａ〜５ｃは、図１の構成における管轄データベース５と実質的に同一の構成を有しており、また、上述のマッピング管轄情報を、図１の構成における管轄データベース５と実質的に同一の態様で記憶している。
管轄データベース５ａは位置情報センタ３２ａに接続されており、管轄データベース５ｂは位置情報センタ３２ｂに接続されており、管轄データベース５ｃは位置情報センタ３２ｃに接続されている。そして、管轄データベース５ａ〜５ｃは、後述する処理に従ってマッピング管轄情報を読み出し、各自に接続されている位置情報センタに供給する。
【００９７】
（第４の実施の形態：動作）
次に、図８の発信地情報提供システムが、１１９番通報を発信した移動体電話の位置を特定して指令設備に通報を伝達する動作を、図９を参照して説明する。図９は、位置特定の処理を示す図である。
【００９８】
（位置特定の処理）
移動電話交換機４ａ〜４ｃのいずれかのセルゾーン内にある移動体電話が１１９番通報を発信すると、キャリア網３ａ〜３ｃの通信回線３１ａ〜３１ｃのいずれかが１１９番通報を受信する。１１９番通報を受信した通信回線は、上述のステップＳ５０１の処理と実質的に同一の処理を行う（図９、ステップＳ７０１）。以下では、理解を容易にするため、１１９番通報を受信した通信回線は、通信回線３１ａであるものとする。
【００９９】
位置情報センタ３２ａは、ステップＳ７０１で通信回線３１ａより位置情報の送信を指示されると、上述のステップＳ５０２の処理と実質的に同一の処理を行い、更に、中継センタ２が行っていたステップＳ５０３の処理と実質的に同一の処理を行う（ステップＳ７０２）。ただし、位置情報センタ３２ａは、管轄データベース５ａを、管轄データベース５に代わるものとして扱う。また、位置情報や氏名情報の暗号化及び復号化は行わない。
【０１００】
次に、位置情報センタ３２ａは、上述の（１）及び（２）の情報と実質的に同一の情報（つまり、管轄データベース５ａより索出した各マッピング管轄情報と、セルゾーンの順位を示す情報）と、ステップＳ７０２で索出した位置情報及び氏名情報を通信回線３１ａに供給する（ステップＳ７０３）。通信回線３１ａは、位置情報センタ３２ａが供給したこれら４個の情報を、移動電話交換機４ａへと送信する。
【０１０１】
指令設備１ａは、ステップＳ７０３で位置情報センタ３２ａが供給した情報を、移動電話交換機４ａを介して受信すると、ステップＳ５０６の処理と実質的に同一の処理を行う（ステップＳ７０４）。
また、ステップＳ７０４の処理で、ステップＳ７０３で位置情報センタ３２ａが供給した４個の情報の転送を受けた指令設備は、自己に接続された移動電話交換機、この移動電話機に接続された通信回線を順次介して、１１９番通報を発信した移動体電話に接続し、この移動体電話と通話する。
【０１０２】
以上、この発明の実施の形態を説明したが、この発明の情報照会システムは、専用のシステムによらず、通常のコンピュータシステムを用いて実現可能である。例えば、任意のデータ通信回線を介して互いに接続され、ひとつが電話交換機に接続されている複数のサーバコンピュータに、上述の動作を実行するためのプログラムを格納した媒体（磁気テープ、ＣＤ−ＲＯＭ等）から該プログラムをインストールすることにより、上述の処理を実行する情報照会システムを構成することができる。
【０１０３】
また、コンピュータにプログラムを供給するための媒体は、通信媒体（通信回線、通信ネットワーク、通信システムのように、一時的且つ流動的にプログラムを保持する媒体）でも良い。例えば、通信ネットワークの掲示板（ＢＢＳ）に該プログラムを掲示し、これをネットワークを介して配信してもよい。また、プログラムにより搬送波を変調して得られる変調波を配信することにより、プログラムを供給するようにしても良い。
そして、このプログラムを起動し、ＯＳの制御下に、他のアプリケーションプログラムと同様に実行することにより、上述の処理を実行することができる。
【０１０４】
なお、ＯＳが処理の一部を分担する場合、あるいは、ＯＳが本願発明の１つの構成要素の一部を構成するような場合には、記録媒体には、その部分をのぞいたプログラムを格納してもよい。この場合も、この発明では、その記録媒体には、コンピュータが実行する各機能又はステップを実行するためのプログラムが格納されているものとする。
【０１０５】
【発明の効果】
以上説明したように、この発明によれば、情報の特定が迅速かつ効率的に行われ、情報の転送が安全に行われる情報照会システムが実現される。
【図面の簡単な説明】
【図１】この発明の第１の実施の形態に係る発信地情報提供システムの構成を示すブロック図である。
【図２】図１の発信地情報提供システムの相互認証の処理を示すフローチャートである。
【図３】図１の発信地情報提供システムの位置特定の処理を示すフローチャートである。
【図４】この発明の第２の実施の形態に係る発信地情報提供システムの構成を示すブロック図である。
【図５】図４の発信地情報提供システムの位置特定の処理を示すフローチャートである。
【図６】この発明の第３の実施の形態に係る発信地情報提供システムの構成を示すブロック図である。
【図７】図６の発信地情報提供システムの位置特定の処理を示すフローチャートである。
【図８】この発明の第４の実施の形態に係る発信地情報提供システムの構成を示すブロック図である。
【図９】図８の発信地情報提供システムの位置特定の処理を示すフローチャートである。
【符号の説明】
１Ａ                            エリア代表指令設備
１Ｂ、１Ｃ、１ａ〜１ｃ          指令設備
２                              中継センタ
３Ａ〜３Ｃ、３２ａ〜３２ｃ      位置情報センタ
３１ａ〜３１ｃ                  通信回線
４、４ａ〜４ｃ                  移動電話交換機
５、５ａ〜５ｃ                  管轄データベース
【図１】
0003938743.tif 000002
【図２】
0003938743.tif 000003
【図３】
0003938743.tif 000004
【図４】
0003938743.tif 000005
【図５】
0003938743.tif 000006
【図６】
0003938743.tif 000007
【図７】
0003938743.tif 000008
【図８】
0003938743.tif 000009
【図９】
0003938743.tif 000010